(57)【要約】【課題】無挿入力（ＺＩＦ）方式を維持しつつ信号電送媒体の厚さの相違やバラツキにかかわらず信号電送媒体の仮保持作用を確実に行うことを可能とする。【解決手段】フレキシブルプリント基板（ＦＰＣ）やフレキシブルフラットケーブル（ＦＦＣ）等の各種信号電送媒体３を絶縁ハウジング１内に差し込んだ時点で、その差し込まれた信号電送媒体３に対して可動ビーム４ａ３の仮保持部４ａ５を弾性変位させながら接触させ、そのときの可動ビーム４ａ３の弾性変位に基づいて発生する仮保持部４ａ５の接触圧によってアクチュエータ２の接続固定操作が完了するまでの間の信号電送媒体３の仮保持作用を得るように構成したもの。【選択図】      図６
2008034284.tif 000002
【特許請求の範囲】
【請求項１】
絶縁ハウジングの長手方向に沿って適宜のピッチ間隔で多極配列された複数体の導電端子の各々が、前記絶縁ハウジングの嵌合口を通して差し込まれた信号電送媒体に対して接離するように弾性変位する可動ビームを有し、
その可動ビームに設けられた接点部が、アクチュエータの接続固定操作によって前記信号電送媒体側に押し付けられるように構成された電気コネクタにおいて、
前記複数体の導電端子の少なくとも一部における前記可動ビームには、前記絶縁ハウジング内に差し込まれる前記信号電送媒体に対して弾性変位しつつ接触して、少なくとも前記アクチュエータの接続固定操作が完了するまでの間、前記信号電送媒体を不動状態に維持する仮保持部が設けられていることを特徴とする電気コネクタ。
【請求項２】
前記信号電送媒体が、フレキシブルプリント基板（ＦＰＣ）又はフレキシブルフラットケーブル（ＦＦＣ）であることを特徴とする請求項１記載の電気コネクタ。
【請求項３】
前記アクチュエータが、前記絶縁ハウジングに対して直線的に往復移動するように取り付けられたスライダからなることを特徴とする請求項１記載の電気コネクタ。
【請求項４】
前記可動ビームは、前記絶縁ハウジングの内壁面に沿って延在する本体ビーム部に対して弾性支柱部を介して揺動可能に連結され、
その可動ビームにおける前記信号電送媒体の差し込み挿入方向の手前側に前記接点部が設けられているとともに、前記信号電送媒体の差し込み挿入方向の奥側に前記仮保持部が設けられていることを特徴とする請求項１記載の電気コネクタ。
【請求項５】
前記可動ビームは、前記信号電送媒体の差し込み方向に対して傾斜する方向に延在していることを特徴とする請求項４記載の電気コネクタ。
【請求項６】
前記アクチュエータの接続固定操作によって前記可動ビームの接点部が前記信号電送媒体側に押し付けられたときに前記仮保持部が前記信号電送媒体側から離間するように前記可動ビームは揺動し、前記アクチュエータの接続固定操作後において前記可動ビームの接点部のみが前記信号電送媒体側に圧接した状態に維持される構成になされていることを特徴とする請求項１記載の電気コネクタ。
【請求項７】
前記アクチュエータの接続固定操作によって前記可動ビームの接点部が前記信号電送媒体側に押し付けられたときに前記仮保持部が前記信号電送媒体側から離間しないように前記可動ビームは揺動し、前記アクチュエータの接続固定操作後において前記接点部及び仮保持部の双方が前記信号電送媒体に対して圧接した状態に維持される構成になされていることを特徴とする請求項１記載の電気コネクタ。
【発明の詳細な説明】
【技術分野】
【０００１】
本発明は、アクチュエータの接続固定操作によって、絶縁ハウジングの嵌合口を通して差し込まれた信号電送媒体に導電端子の接点部が押し付けられるように構成された電気コネクタに関する。
【背景技術】
【０００２】
一般に、種々の電気機器において使用されているフレキシブルプリント基板（ＦＰＣ）やフレキシブルフラットケーブル（ＦＦＣ）等の各種信号電送媒体は、電気コネクタを介して配線基板に接続されることが多い。そして、それらの各種信号電送媒体を電気コネクタに接続するにあたって、いわゆる無挿入力（ＺＩＦ）方式を採用した電気コネクタにおいては、絶縁ハウジングの嵌合口を通して各種信号電送媒体が差し込まれた後に、スライダ等からなるアクチュエータが接続固定操作され、それによって絶縁ハウジング内に多極配列されている導電端子（コンタクト）の各接点部が弾性変位し、上述したようにして絶縁ハウジング内に差し込まれた信号電送媒体側に押し付けられる構造になされている。
【０００３】
ところが、このような無挿入力（ＺＩＦ）方式を採用した電気コネクタでは、フレキシブルプリント基板（ＦＰＣ）やフレキシブルフラットケーブル（ＦＦＣ）等の各種信号電送媒体が絶縁ハウジング内に差し込まれた直後に、未だ保持されていない自由移動可能な状態におかれることとなるために、上述したアクチュエータの接続固定操作が完了されるまでの間、本来の取付位置から動いてしまうことがあり、導電端子（コンタクト）の接点部との間に位置ズレを生じて接続不良が発生するおそれがある。
【０００４】
このような問題に対して、絶縁ハウジング内に差し込まれた信号電送媒体を不動状態に維持する仮保持部材を付加的に備えたものが従来から考えられているが、そのように付加された仮保持部材は、信号電送媒体を完全に挟持する構造になされることから、無挿入力（ＺＩＦ）方式ではなくなっている。その結果、信号電送媒体の一部が仮保持部材により削られてしまい、電気的な短絡現象が発生するなど接続不良を起こすおそれがあるとともに、仮保持部材を追加する構成となっていることから部品点数が増大して生産性の低下を招来することにもなる。
【０００５】
一方、下記の特許文献１のように、絶縁ハウジング内に挿入した信号電送媒体（ＦＰＣ又はＦＦＣ）の先端部分を、絶縁ハウジング内に設けた傾斜部に沿って案内して信号電送媒体の仮固定を行わせるようにした電気コネクタも提案されている。しかしながら、このものでは、コンタクト（導電端子）とスライダ、あるいは絶縁ハウジング内に設けた傾斜部に連結した直線部との隙間が、信号電送媒体の厚さとの関係において規定されていることから、信号電送媒体の厚さが異なる場合には、それに対応した構成の電気コネクタを新たに設計し直さなければならず、多種類の電気コネクタを予め準備しておく必要がある。さらに、信号電送媒体の厚さに誤差が生じている場合には、信号電送媒体の仮保持を行うことができなくなったり、信号電送媒体の挿入を行う際に先端部分、あるいは接点部が削れてしまうなどの問題を生じるおそれがある。
【０００６】
【特許文献１】特開２００５−１９０９１４号公報
【発明の開示】
【発明が解決しようとする課題】
【０００７】
そこで本発明は、信号電送媒体の厚さの相違にかかわらず、信号電送媒体の仮保持を無挿入力（ＺＩＦ）方式を維持しつつ良好に行うことができるようにした電気コネクタを提供することを目的とする。
【課題を解決するための手段】
【０００８】
上記目的を達成するため本発明にかかる電気コネクタでは、絶縁ハウジングの長手方向に沿って適宜のピッチ間隔で多極配列された複数体の導電端子の各々が、前記絶縁ハウジングの嵌合口を通して差し込まれた信号電送媒体に対して接離するように弾性変位する可動ビームを有し、その可動ビームに設けられた接点部が、アクチュエータの接続固定操作によって前記信号電送媒体側に押し付けられるように構成された電気コネクタにおいて、前記複数体の導電端子の少なくとも一部における前記可動ビームには、前記絶縁ハウジング内に差し込まれる前記信号電送媒体に対して弾性変位しつつ接触して、少なくとも前記アクチュエータの接続固定操作が完了するまでの間、前記信号電送媒体を不動状体に維持する仮保持部が設けられている。
【０００９】
このような構成を有する本発明にかかる電気コネクタによれば、絶縁ハウジング内に信号電送媒体が差し込まれた時点で、その差し込まれた信号電送媒体に対して可動ビームの仮保持部が弾性変位しながら接触し、当該可動ビームの弾性変位に基づいて発生する仮保持部の接触押圧力によって信号電送媒体の仮保持が行われ、アクチュエータの接続固定操作が完了するまでの間における信号電送媒体の位置ズレが防止されるようになっている。そして、この可動ビームの仮保持部による仮保持作用は、可動ビームの弾性変位に基づいて行われることから、無挿入力（ＺＩＦ）方式が良好に維持されるとともに、信号電送媒体の厚さの相違やバラツキにかかわらず信号電送媒体の仮保持が確実に行われるようになっている。
【００１０】
また、本発明にかかる電気コネクタでは、仮保持部が、絶縁ハウジングの信号電送媒体の挿入側を手前として奥側に設けられているので、信号電送媒体が絶縁ハウジング内に差し込まれた際に、仮保持部は信号電送媒体の接点部に接触しないようになっている。
【発明の効果】
【００１１】
以上述べたように本発明にかかる電気コネクタは、フレキシブルプリント基板（ＦＰＣ）やフレキシブルフラットケーブル（ＦＦＣ）等の各種信号電送媒体を絶縁ハウジング内に差し込んだ時点で、その差し込まれた信号電送媒体に対して可動ビームの仮保持部を弾性変位させながら接触させ、そのときの可動ビームの弾性変位に基づいて発生する仮保持部の接触圧によってアクチュエータの接続固定操作が完了するまでの間の信号電送媒体に対する仮保持作用を得るように構成したことによって、無挿入力（ＺＩＦ）方式を維持しつつ信号電送媒体の厚さの相違やバラツキにかかわらず信号電送媒体の仮保持作用を確実に行うことができる。
【００１２】
また、本発明にかかる電気コネクタは、可動ビームに接点部と仮保持部の両方を設けることによって、仮保持部材を付加的に備える必要がなく、導電端子も仮保持するものと、しないものといったように複数種類必要とせず１種類のみしか必要としないように構成したものであるから、無挿入力（ＺＩＦ）方式を採用した電気コネクタの信頼性を低廉かつ大幅に向上させることができる。
【００１３】
更に、本発明にかかる電気コネクタでは、仮保持部が、絶縁ハウジングの信号電送媒体の挿入側を手前として、絶縁ハウジング内の奥側に設けられているので、信号電送媒体が絶縁ハウジング内に差し込まれた際に、仮保持部が信号電送媒体の接点部を削ることがなくなり、電気的な短絡現象の発生などを起こすおそれがない。
【発明を実施するための最良の形態】
【００１４】
以下、本発明の実施の形態を図面に基づいて詳細に説明する。
【００１５】
まず、図１〜図７に示された本発明の第１の実施形態にかかる電気コネクタは、細長板状をなすように延在する中空状の絶縁ハウジング１を備えているとともに、その絶縁ハウジング１の長手幅を有する前端縁部分（図５の左端縁部分）には、アクチュエータを構成するスライダ２が、前記絶縁ハウジング１の前端面（図５の左端面）に対して接離する方向に直線的に往復移動されるように構成されている。
【００１６】
前記絶縁ハウジング１の中空内部には、当該絶縁ハウジング１の前端側（図５の左端側）に向かって細長状に開口するＦＰＣ嵌合口１ａが設けられているとともに、そのＦＰＣ嵌合口１ａを前方側（図５左方側）から覆うように配置されたスライダ２には、前記絶縁ハウジング１のＦＰＣ嵌合口１ａに対応して細長状のＦＰＣ挿入口２ａが貫通形成されている。そして、そのスライダ２の挿入口２ａを通して、信号電送媒体としてのフレキシブルプリント基板（以下、ＦＰＣという。）３の端末部分が、前記絶縁ハウジング１のＦＰＣ嵌合口１ａ内に差し込まれる構造になされている。
【００１７】
また、前記絶縁ハウジング１の長手方向（図５の紙面垂直方向）の両端部分には、薄板状の金属部材からなるホールドダウン１ｂがそれぞれ設けられており、それらの各ホールドダウン１ｂが、図示を省略した印刷配線基板上のグランド導電路に半田接続にて固定されることによってグランド接続が行われると同時に電気コネクタ全体の保持が行われるようになっている。
【００１８】
このホールドダウン１ｂの一部は、上述したアクチュエータとしてのスライダ２の支持部材としての構成を有している。すなわち、前記スライダ２の長手方向（図５の紙面垂直方向）両端部分には、前記絶縁ハウジング１の両側壁面に沿って略水平に延在するガイドアーム部２ｂがそれぞれ設けられており、それらの各ガイドアーム部２ｂの上面凹部が、前記ホールドダウン１ｂの上面部を構成するように設けられたガイド板１ｃの下面側に沿って前後方向（図５の左右方向）に往復移動可能、かつスライダ２が絶縁ハウジング１から外れないように装着されている。
【００１９】
一方、このようなスライダ２において前記絶縁ハウジング１の前端面（図５の左端面）に対向する内側表面には、前記ＦＰＣ嵌合口１ａの内部側に向かって突出する押圧部２ｃが設けられている。この押圧部２ｃの突出側先端部分の下面には、前記ＦＰＣ３の差し込み挿入方向（図６の右方向）に向かって傾斜面状にせり上がるテーパ状案内面２ｄが形成されている。このテーパ状案内面２ｄは、前記スライダ２の全体が作業者により押圧操作されることによって図５及び図６に示された待機位置から図７に示された作用位置まで直線的に移動されたときに、上述したＦＰＣ嵌合口１ａの内部側に向かって突き出し、絶縁ハウジング１の内部に配置されたコンタクト（導電端子）４を弾性変位させる構成になされている。
【００２０】
すなわち、上述した絶縁ハウジング１のＦＰＣ嵌合口１ａの中空内部には、当該絶縁ハウジング１の長手方向（図５の紙面垂直方向）に沿って複数体のコンタクト（導電端子）４が適宜のピッチ間隔をなして多極配列されている。これらの各コンタクト４は、上述したＦＰＣ３の端末部分を図５の上下方向から挟み込むように配置された上ビーム４ａ及び下ビーム４ｂを備えている。これらの上ビーム４ａ及び下ビーム４ｂの各々は、図５の上下方向に延在する支持基柱４ｃの上端部分及び下端部分の各々から前方側、つまり上述したＦＰＣ３の差し込み挿入方向（図５の右方向）と反対側の抜き出し方向（図５の左方向）に向かって延出するように配置されている。
【００２１】
これらの両ビームのうちの下ビーム４ｂは、絶縁ハウジング１に対してほぼ不動状態に保持された固定ビームを構成するものであって、上述した絶縁ハウジング１におけるＦＰＣ嵌合口１ａの内壁底面に沿って前方側（図５の左方側）に細長梁状をなすように延在する状態に装着されている。この下ビーム４ｂの前端部分（図５左端部分）には、上向き凸状をなすようにして下接点部４ｂ１が形成されており、その下接点部４ｂ１が、前記絶縁ハウジング１の内部に向かって差し込まれたＦＰＣ３側の接点部（図示省略）に対して下方側から圧接される構成になされている。なお、ＦＰＣ３側の接点が上接点部のみの場合は、下接点部４ｂ１は、必ずしも必要ではない。
【００２２】
また、この下ビーム４ｂに対して前記支持基柱４ｃを挟んだ反対側（図５の右端側）には、外部後方側（図５の右方側）に向かって突出する半田接続部４ｄが、階段状に折れ曲がるように設けられている。この半田接続部４ｄの先端部分は、図示を省略した印刷配線基板上に形成された信号導電路に対して半田付けされ、それによって前記コンタクト４の電気的な接続が行われるようになっている。
【００２３】
一方、上述した上ビーム４ａは、揺動可能な可動ビームを構成するものであって、前記支持基柱４ｃの上端部分から前記絶縁ハウジング１の内壁天井面に沿って前方側（図５の左方側）に細長梁状をなすように延在する本体ビーム部４ａ１を備えている。この本体ビーム部４ａ１自体は、絶縁ハウジング１に対してほぼ不動状態に保持されているが、その本体ビーム部４ａ１の延出端部分（図５の左端部分）には、前記絶縁ハウジング１内に差し込まれたＦＰＣ３に向かって図示下方側の略直角に折れ曲がるように延出する弾性支柱ビーム部４ａ２を介して揺動ビーム部４ａ３が一体的に連結されている。
【００２４】
この揺動ビーム部４ａ３は、前記弾性支柱ビーム部４ａ２との連結部を中心として前後方向（図５の左右方向）に振り分けて延在する細長梁状に形成されており、前記絶縁ハウジング１の長手方向（図５紙面垂直方向）に略直交する平面内において弾性的に変位する揺動可能な構成になされている。この揺動ビーム部４ａ３の揺動中心は、当該揺動ビーム部４ａ３と前記弾性支柱ビーム部４ａ２との連結部から、弾性支柱ビーム部４ａ２と本体ビーム部４ａ１との連結部までの間に位置することとなる。
【００２５】
また、この揺動ビーム部４ａ３の全長は、上述したＦＰＣ３の差し込み挿入方向（図５の左右方向）に対してやや傾斜するように延在しており、前記ＦＰＣ３の差し込み挿入方向の手前側（図５の左方側）から前記ＦＰＣ３の差し込み挿入方向の奥側（図５の右方側）に向かって下降するように配置されていることによって、上述した絶縁ハウジング１内に差し込まれたＦＰＣ３及び下ビーム４ｂに対して、当該揺動ビーム部４ａ３の後端部分（図５の右端部分）が近接する配置関係になされている。
【００２６】
このように配置された揺動ビーム部４ａ３には、前記ＦＰＣ３の差し込み挿入方向の手前側前端部分（図５の左端部分）に、下向き凸状をなすようにして上接点部４ａ４が形成されている。この上接点部４ａ４は、前記絶縁ハウジング１内に差し込まれたＦＰＣ３側の接点部（図示省略）から弾性変位方向において上方側に離間した位置に配置されている。また、その上接点部４ａ４の反対側、すなわち前記揺動ビーム部４ａ３における前記ＦＰＣ３の差し込み挿入方向の奥側後端部分（図５の右端部分）には、下向き凸状をなすようにして仮保持部４ａ５が形成されている。この仮保持部４ａ５は、前記絶縁ハウジング１のＦＰＣ嵌合口１ａ内に差し込まれたＦＰＣ３の端末部に対して弾性的に接触可能となる位置に配置されている。
【００２７】
したがって、例えば図６に示されているように前記絶縁ハウジング１のＦＰＣ嵌合口１ａ内にＦＰＣ３の端末部分が差し込まれた直後においては、上述した上ビーム４ａを構成している揺動ビーム部４ａ３の手前側前端部分（図６の左端部分）に設けられた上接点部４ａ４は、前記ＦＰＣ３から上方側に離間した位置に配置されることとなるが、それに対して、前記揺動ビーム部４ａ３の奥側後端部分（図６の右端部分）に設けられた仮保持部４ａ５は、上述したＦＰＣ３の差し込み方向先端部分（図６の右端部分）に対して上方側から接触した状態となる。この仮保持部４ａ５のＦＰＣ３に対する接触は、上述した揺動ビーム部４ａ３が弾性変位した状態で行われることとなり、その揺動ビーム部４ａ３の弾性変位に基づいて発生する仮保持部４ａ５の接触押圧力によってＦＰＣ３の全体が位置ズレすることのないように仮保持されるようになっている。
【００２８】
また、本実施形態にかかる例では、仮保持部４ａ５を揺動ビーム部４ａ３の奥側後端部分（図６の右端部分）に設けることにより、ＦＰＣ３を絶縁ハウジング１のＦＰＣ嵌合口１ａ内に差し込んだ際に、ＦＰＣ３の接点部（図示せず）が設けられていない端末部分に仮保持部４ａ５が接触してからＦＰＣ３の挿入が完了するまでの摺動距離を短くすることができ、ＦＰＣ３の挿入作業が楽に行えるとともに、仮保持部４ａ５がＦＰＣ３の接点部に接触することがないので接点部が削れて電気的な短絡現象を起こすおそれもない。
【００２９】
そして、このようなＦＰＣ３が仮保持された状態から、待機位置にあるスライダ２を、例えば図７に示されているように作用位置まで移動させて接続固定操作を行うと、そのスライダ２の押圧部２ｃに設けられたテーパ状案内面２ｄが上述した上ビーム４ａの揺動ビーム部４ａ３の手前側前端部分に当接することとなる。これによって、前記揺動ビーム部４ａ３の手前側前端部分が押し下げられていき、全体が図６の左回りに揺動して当該揺動ビーム部４ａ３の上接点部４ａ４がＦＰＣ３の接点部（図示省略）に対して上方側から圧接されることとなる。このようにして行われるスライダ２の接続固定操作時においても、上述したＦＰＣ３の仮保持作用によってＦＰＣ３に位置ズレを生じることはなく、その結果、ＦＰＣ３の接続が容易かつ正確に行われる。
【００３０】
なお、本実施形態では、上ビーム４ａの上接点部４ａ４がＦＰＣ３側に圧接されるように揺動ビーム部４ａ３の揺動が図５の左回りに行われ、それによって、上述した仮保持部４ａ５はＦＰＣ３側から上方側に離間するようになっている。
【００３１】
このように本実施形態にかかる電気コネクタによれば、絶縁ハウジング１内に信号電送媒体としてのＦＰＣ３が差し込まれた時点で、その差し込まれたＦＰＣ３に対して、上ビーム４ａの揺動ビーム部（可動ビーム）４ａ３に設けられた仮保持部４ａ５が、上方側に弾性変位しながら接触し、その揺動ビーム部４ａ３の弾性変位に基づいて発生する仮保持部４ａ５の接触圧によってＦＰＣ３の仮保持が行われ、アクチュエータとしてのスライダ２の接続固定操作が完了するまでの間におけるＦＰＣ３の位置ズレが防止されるようになっている。この揺動ビーム部４ａ３の仮保持部４ａ５によるＦＰＣ３に対する仮保持作用は、揺動ビーム部４ａ３の弾性変位に基づいて行われるため、無挿入力（ＺＩＦ）方式を維持しつつ、しかもＦＰＣ３の厚さの相違やバラツキにかかわらず確実に行われるようになっている。
【００３２】
一方、上述した図１〜図７にかかる実施形態と同一の構成物に対して同一の符号を付した図８〜図１０にかかる第２の実施形態では、支持基柱４ｃの上端部分から絶縁ハウジング１の上部天井壁面に沿って前方側（図８の左方向）に延出する上ビーム４１ａの本体ビーム部４１ａ１が、延出方向の途中位置で斜め下方に屈曲するように形成されていて、その本体ビーム部４１ａ１の屈曲部分においても、弾性支柱ビーム部４１ａ２と同様な弾性変位が行われるようになっている。
【００３３】
このような第２の実施形態によれば、スライダ２の接続固定操作によって上ビーム４１ａの上接点部４ａ４がＦＰＣ３側に圧接されるように揺動ビーム部４ａ３の揺動が図８及び図９の左回りに行われる際、上述したように本体ビーム部４１ａ１の屈曲部分においても弾性支柱ビーム部４１ａ２と同様な弾性変位が行われるため、仮保持部４ａ５はＦＰＣ３側から上方側にほとんど離間しないようになっている。すなわち、スライダ２の接続固定操作を完了した後においても仮保持部４ａ５がＦＰＣ３に対して接触した状態が維持され、その結果、ＦＰＣ３に対して上接点部４ａ４及び仮保持部４ａ５の双方が圧接されることとなり、ＦＰＣ３の保持作用が極めて良好に行われるようになっている。
【００３４】
なお、本実施形態にかかる例では、上接点部４ａ４及び仮保持部４ａ５の２点で圧接するため、下ビーム４ｂの下接点部４ｂ１も上接点部４ａ４と同様に弾性変位が行えるように構成されているが、下ビーム４ｂを絶縁ハウジング１に対してほぼ不動状態に保持された固定ビームとし、下ビーム４ｂにおけるＦＰＣ３を挟んで仮保持部４ａ５と対向する位置（仮保持部の直下）に、ＦＰＣ３の端末部分が仮保持部４ａ５の接触押圧力を受ける際に、その受け部となる凸部を設けるように構成しても良い。
【００３５】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００３６】
例えば、上述した実施形態では、アクチュエータとして直線的に移動するスライダを用いているが、円弧状に回動するアクチュエータを備えた電気コネクタに対しても本発明は同様に適用することができる。
【００３７】
さらに本発明は、上述した実施形態のようなＦＰＣ（フレキシブルプリント基板）を接続するための電気コネクタに限らず、ＦＦＣ（フレキシブルフラットケーブル）等の各種信号電送媒体を接続するための電気コネクタに対しても同様に適用することが可能である。
【００３８】
また、本発明にかかる仮保持部は、全てのコンタクト（導電端子）に設けても良いし、一部のコンタクトに設けるようにしても良い。
【産業上の利用可能性】
【００３９】
以上のように本発明は、各種電気機器に使用される多種多様な信号電送媒体を接続するための電気コネクタに対して広く適用することが可能である。
【図面の簡単な説明】
【００４０】
【図１】本発明の一実施形態にかかるＦＰＣ接続用電気コネクタの全体構造を表した外観斜視説明図である。
【図２】図１に示されたＦＰＣ接続用電気コネクタの平面説明図である。
【図３】図１に示されたＦＰＣ接続用電気コネクタの正面説明図である。
【図４】図１に示されたＦＰＣ接続用電気コネクタの側面説明図である。
【図５】図２中のＶ−Ｖ線に沿った横断面説明図である。
【図６】図５に示されたＦＰＣ接続用電気コネクタに対してＦＰＣ（フレキシブルプリント基板）を差し込んだ仮保持状態を表した図５相当の横断面説明図である。
【図７】図６に示された状態からスライダを押し込んで固定接続操作を完了した状態を表した図５相当の横断面説明図である。
【図８】本発明の他の実施形態における図５相当の横断面説明図である。
【図９】図８に示されたＦＰＣ接続用電気コネクタに対してＦＰＣ（フレキシブルプリント基板）を差し込んだ仮保持状態を表した図８相当の横断面説明図である。
【図１０】図９に示された状態からスライダを押し込んで固定接続操作を完了した状態を表した図８相当の横断面説明図である。
【符号の説明】
【００４１】
１  絶縁ハウジング
１ａ  ＦＰＣ嵌合口
１ｂ  ホールドダウン
１ｃ  ガイド板
２  スライダ（アクチュエータ）
２ａ  ＦＰＣ挿入口
２ｂ  ガイドアーム部
２ｃ  押圧部
２ｄ  テーパ状案内面
３  フレキシブルプリント基板（ＦＰＣ；信号電送媒体）
４  コンタクト（導電端子）
４ａ  上ビーム
４ａ１  本体ビーム部
４ａ２  弾性支柱ビーム部
４ａ３  揺動ビーム部
４ａ４  上接点部
４ａ５  仮保持部
４ｂ  下ビーム
４ｂ１  下接点部
４ｃ  支持基柱
４ｄ  半田接続部
４１ａ  上ビーム
４１ａ１  本体ビーム部
４１ａ２  弾性支柱ビーム部
【図１】
2008034284.tif 000003
【図２】
2008034284.tif 000004
【図３】
2008034284.tif 000005
【図４】
2008034284.tif 000006
【図５】
2008034284.tif 000007
【図６】
2008034284.tif 000008
【図７】
2008034284.tif 000009
【図８】
2008034284.tif 000010
【図９】
2008034284.tif 000011
【図１０】
2008034284.tif 000012